(57)【要約】  【課題】  本発明者は、被介護者が、大便処理にともなう不快感を覚えたり、便意を感じたときに看護師のような介護者を煩わせることを気にしたりすることがなくなればよいと感じている。そして、本発明者は、大便処理にともなう異臭の低減のみならず、介護者による労働負担の軽減なども視野に入れて、大便処理を簡素化することがこれからの社会においてますます重要であると考えている。  【解決手段】  人の臀部を包む下着本体１１０と、大便処理袋５００の袋口５１０が装着される、下着本体１１０に設けられた開口部１２０と、袋口５１０の袋口縁部５１１が係止する、下着本体１１０に設けられた係止部１３０と、を備え、係止部１３０は、開口部１２０の近傍に設けられている下着１００である。【選択図】  図１
2020066819.tif 000002
【特許請求の範囲】
【請求項１】
人の臀部を包む下着本体と、
大便処理袋の袋口が装着される、前記下着本体に設けられた開口部と、
前記袋口の袋口縁部が係止する、前記下着本体に設けられた係止部と、
を備え、
前記係止部は、前記開口部の近傍に設けられていることを特徴とする下着。
【請求項２】
前記係止部は、前記下着本体へ取付けられた取付け部材と、前記取付け部材と重なる重なり部材と、を有し、
前記袋口縁部は、前記取付け部材と前記重なり部材との間に挟込まれる、または前記下着本体と前記取付け部材との間に挟込まれることにより、前記係止部と係止することを特徴とする請求項１に記載の下着。
【請求項３】
前記係止部は、前記下着本体の前記臀部と接触しない側の表面に設けられており、
前記袋口縁部は、前記開口部へ挿入されずに外側から前記係止部と係止することを特徴とする請求項１または２に記載の下着。
【請求項４】
前記係止部は、前記下着本体の前記臀部と接触する側の表面に設けられており、
前記袋口縁部は、外側から前記開口部へ挿入されて前記係止部と係止することを特徴とする請求項１または２に記載の下着。
【発明の詳細な説明】
【技術分野】
【０００１】
本発明は、パンツなどのような下着に関する。
【背景技術】
【０００２】
適宜ペットの糞が処理用袋内に収容されるよう構成したペット用糞処理装置が、知られている（たとえば、特許文献１参照）。
【０００３】
このようなペット用糞処理装置は、適宜ペットに装着可能な装着具と、この装着具に装着用弾性体を介して接続されると共に、適宜ペットの尻に圧接される枠体押えと、適宜ペットの尻と枠体押えとの間に介装される袋装着用枠体と、その開口部が袋装着用枠体に装着されると共に、枠体押えの袋挿通孔を介して枠体押え外方に配置される処理用袋とからなる。
【先行技術文献】
【特許文献】
【０００４】
【特許文献１】特開平０６−０６２６９８号公報
【発明の概要】
【発明が解決しようとする課題】
【０００５】
しかしながら、本発明者は、ペットのような動物の大便処理に限らず、高齢者および療養者のような被介護者の大便処理を簡素化することの意義に思い至った。
【０００６】
たとえば、本発明者は、被介護者が、大便処理にともなう不快感を覚えたり、便意を感じたときに看護師のような介護者を煩わせることを気にしたりすることがなくなればよいと感じている。
【０００７】
そして、本発明者は、大便処理にともなう異臭の低減のみならず、介護者による労働負担の軽減なども視野に入れて、大便処理を簡素化することがこれからの社会においてますます重要であると考えている。
【０００８】
本発明は、上述された従来の課題を考慮し、大便処理を簡素化することができる下着を提供することを目的とする。
【課題を解決するための手段】
【０００９】
第１の本発明は、人の臀部を包む下着本体と、
大便処理袋の袋口が装着される、前記下着本体に設けられた開口部と、
前記袋口の袋口縁部が係止する、前記下着本体に設けられた係止部と、
を備え、
前記係止部は、前記開口部の近傍に設けられていることを特徴とする下着である。
【００１０】
第２の本発明は、前記係止部は、前記下着本体へ取付けられた取付け部材と、前記取付け部材と重なる重なり部材と、を有し、
前記袋口縁部は、前記取付け部材と前記重なり部材との間に挟込まれる、または前記下着本体と前記取付け部材との間に挟込まれることにより、前記係止部と係止することを特徴とする第１の本発明の下着である。
【００１１】
第３の本発明は、前記係止部は、前記下着本体の前記臀部と接触しない側の表面に設けられており、
前記袋口縁部は、前記開口部へ挿入されずに外側から前記係止部と係止することを特徴とする第１または第２の本発明の下着である。
【００１２】
第４の本発明は、前記係止部は、前記下着本体の前記臀部と接触する側の表面に設けられており、
前記袋口縁部は、外側から前記開口部へ挿入されて前記係止部と係止することを特徴とする第１または第２の本発明の下着である。
【発明の効果】
【００１３】
本発明により、大便処理を簡素化することが可能な下着を提供することができる。
【図面の簡単な説明】
【００１４】
【図１】本発明における実施の形態１の下着の模式的な正面図
【図２】本発明における実施の形態１の下着の模式的な背面図
【図３】本発明における実施の形態１の大便処理袋の模式的な正面図
【図４】本発明における実施の形態１の下着の模式的な部分斜視図
【図５】本発明における実施の形態２の下着の模式的な正面図
【図６】本発明における実施の形態２の下着の模式的な背面図
【図７】本発明における実施の形態３の下着の模式的な正面図
【図８】本発明における実施の形態３の下着の模式的な背面図
【図９】本発明における実施の形態３の下着の模式的な部分斜視図
【発明を実施するための形態】
【００１５】
以下、図面を参照しながら、本発明における実施の形態について詳細に説明する。
【００１６】
（実施の形態１）
はじめに、図１〜４を参照しながら、本実施の形態の下着１００について具体的に説明する。
【００１７】
ここに、図１は本発明における実施の形態１の下着１００の模式的な正面図であり、図２は本発明における実施の形態１の下着１００の模式的な背面図であり、図３は本発明における実施の形態１の大便処理袋５００の模式的な正面図であり、図４は本発明における実施の形態１の下着１００の模式的な部分斜視図である。
【００１８】
図１においては、下着本体１１０の臀部と接触しない側の表面が見えるように、下着本体１１０が広げられた非着用状態が示されている。図２においては、下着本体１１０の臀部と接触する側の表面が見えるように、下着本体１１０が広げられた非着用状態が示されている。
【００１９】
図４においては、係止部１３０の構成が理解しやすいように、係止部１３０が手指６００により下着本体１１０から持上げられて広げられた状態が示されている。
【００２０】
たとえば、市販されているポリエチレンまたはポリプロピレン製の防臭および抗菌袋は、大便処理袋５００として利用可能である。大便は大便処理袋５００へダイレクトに収容されるが、ノロウイルスおよびロタウイルスによる感染症などは予防される。
【００２１】
下着本体１１０は、人の臀部を包む本体である。
【００２２】
たとえば、市販されている左および下開きの全開式介護用パンツまたはオムツは、下着本体１１０として利用可能である。
【００２３】
着用部１５０は、下着本体１１０へ取付けられた左開きのための面ファスナー部であり、着用部材１５１および１５２を有する。二個の着用部材１５１は、フック状起毛具を有する。着用部材１５２は、ループ状起毛具を有する。
【００２４】
着用部１６０は、下着本体１１０へ取付けられた下開きのための面ファスナー部であり、着用部材１６１および１６２を有する。着用部材１６１は、フック状起毛具を有する。着用部材１６２は、ループ状起毛具を有する。
【００２５】
ティッシュペーパーなどを収納するためのポケット部材が、下着本体１１０の腹部と接触するまたはしない側の表面に設けられていてもよい。大便処理袋５００の袋口５１０が開口部１２０へ装着されていないときに臀部を隠すための布カバー部材が、設けられていてもよい。
【００２６】
開口部１２０は、大便処理袋５００の袋口５１０が装着される、下着本体１１０に設けられた部分である。
【００２７】
開口部１２０への袋口５１０の装着は、被介護者の便意に応じて行われてもよいし、便意に関わらず常に行われていてもよい。
【００２８】
つぎに説明されるように、袋口縁部５１１は係止部１３０と係止する。
【００２９】
開口部１２０の形状は、角丸逆三角形形状であるが、角丸三角形形状であってもよいし、角丸長方形形状であってもよいし、楕円形状であってもよい。
【００３０】
係止部１３０は、袋口５１０の袋口縁部５１１が係止する、下着本体１１０に設けられた部分である。
【００３１】
係止部１３０は、開口部１２０の近傍に設けられている。
【００３２】
係止部１３０の形状は、開口部１２０の形状に応じた孔が設けられている、シート形状である。
【００３３】
係止部１３０の素材は、合成皮革素材であるが、しっかりした布素材であってもよいし、ソフトシリコーン樹脂素材であってもよい。
【００３４】
係止部１３０は、スリット形成または折曲げなどを利用して単数の部品から構成されていてもよいし、縫製などを利用して複数の部品から構成されていてもよい。
【００３５】
係止部１３０の袋口縁部５１１と接触する箇所には、係止力確保のための摩擦部材、スリット部材またはマグネット部材の貼付処理、汚れ付着防止のためのコーティング部材貼付処理、または表面加工処理が係止部１３０の素材に応じて行われてもよい。しかしながら、係止部１３０の臀部などと接触する箇所には、肌触りを考慮し、このような処理は行われなくてもよい。
【００３６】
係止部１３０は、下着本体１１０へ取付けられた取付け部材１３１と、取付け部材１３１と重なる重なり部材１３２と、を有する。
【００３７】
袋口縁部５１１は、取付け部材１３１と重なり部材１３２との間に挟込まれることにより、係止部１３０と係止する。
【００３８】
係止部１３０は、下着本体１１０の臀部と接触しない側の表面に設けられている。
【００３９】
袋口縁部５１１は、開口部１２０へ挿入されずに外側から係止部１３０と係止する。
【００４０】
より具体的には、袋口縁部５１１は、矢印Ｐ１ａおよびＰ１ｂで示された内向きで係止部１３０と係止させられる。
【００４１】
袋口縁部５１１が開口部１２０へ挿入されずに外側から係止部１３０と係止させられるこのような態様においては、介護者による開口部１２０への袋口５１０の装着がしばしば手軽である。
【００４２】
（実施の形態２）
はじめに、図５および６を主として参照しながら、本実施の形態の下着２００について具体的に説明する。
【００４３】
ここに、図５は本発明における実施の形態２の下着２００の模式的な正面図であり、図６は本発明における実施の形態２の下着２００の模式的な背面図である。
【００４４】
図５においては、下着本体２１０の臀部と接触しない側の表面が見えるように、下着本体２１０が広げられた非着用状態が示されている。図６においては、下着本体２１０の臀部と接触する側の表面が見えるように、下着本体２１０が広げられた非着用状態が示されている。
【００４５】
下着本体２１０は、人の臀部を包む本体である。
【００４６】
たとえば、市販されている左および右開きの全開式介護用パンツまたはオムツは、下着本体２１０として利用可能である。
【００４７】
着用部２５０は、下着本体２１０へ取付けられた左開きのための面ファスナー部であり、着用部材２５１および２５２を有する。着用部材２５１は、フック状起毛具を有する。着用部材２５２は、ループ状起毛具を有する。
【００４８】
着用部２６０は、下着本体２１０へ取付けられた右開きのための面ファスナー部であり、着用部材２６１および２６２を有する。着用部材２６１は、フック状起毛具を有する。着用部材２６２は、ループ状起毛具を有する。
【００４９】
ティッシュペーパーなどを収納するためのポケット部材が、下着本体２１０の腹部と接触するまたはしない側の表面に設けられていてもよい。大便処理袋５００の袋口５１０が開口部２２０へ装着されていないときに臀部を隠すための布カバー部材が、設けられていてもよい。
【００５０】
開口部２２０は、大便処理袋５００の袋口５１０が装着される、下着本体２１０に設けられた部分である。
【００５１】
開口部２２０への袋口５１０の装着は、被介護者の便意に応じて行われてもよいし、便意に関わらず常に行われていてもよい。
【００５２】
つぎに説明されるように、袋口縁部５１１は係止部２３０または係止部２４０と係止する。
【００５３】
開口部２２０の形状は、角丸長方形形状であるが、角丸逆三角形形状であってもよいし、角丸三角形形状であってもよいし、楕円形状であってもよい。
【００５４】
係止部２３０は、袋口５１０の袋口縁部５１１が係止する、下着本体２１０に設けられた部分である。
【００５５】
係止部２３０は、開口部２２０の近傍に設けられている。
【００５６】
係止部２３０の形状は、開口部２２０の形状に応じた孔が設けられている、シート形状である。
【００５７】
係止部２３０の素材は、合成皮革素材であるが、しっかりした布素材であってもよいし、ソフトシリコーン樹脂素材であってもよい。
【００５８】
係止部２３０は、スリット形成または折曲げなどを利用して単数の部品から構成されていてもよいし、縫製などを利用して複数の部品から構成されていてもよい。
【００５９】
係止部２３０の袋口縁部５１１と接触する箇所には、係止力確保のための摩擦部材、スリット部材またはマグネット部材の貼付処理、汚れ付着防止のためのコーティング部材貼付処理、または表面加工処理が係止部２３０の素材に応じて行われてもよい。しかしながら、係止部２３０の臀部などと接触する箇所には、肌触りを考慮し、このような処理は行われなくてもよい。
【００６０】
係止部２３０は、取付け部材１３１のような取付け部材と、重なり部材１３２のような重なり部材と、を有してもよい。
【００６１】
係止部２３０は、下着本体２１０の臀部と接触しない側の表面に設けられている。
【００６２】
袋口縁部５１１は、開口部２２０へ挿入されずに外側から係止部２３０と係止する。
【００６３】
より具体的には、袋口縁部５１１は、矢印Ｐ２ａおよびＰ２ｂで示された内向きで係止部２３０と係止させられる。
【００６４】
袋口縁部５１１が開口部２２０へ挿入されずに外側から係止部２３０と係止させられるこのような態様においては、介護者による開口部２２０への袋口５１０の装着がしばしば手軽である。
【００６５】
係止部２４０は、袋口５１０の袋口縁部５１１が係止する、下着本体２１０に設けられた部分である。
【００６６】
係止部２４０は、開口部２２０の近傍に設けられている。
【００６７】
係止部２４０の形状は、開口部２２０の形状に応じた孔が設けられている、シート形状である。
【００６８】
係止部２４０の素材は、合成皮革素材であるが、しっかりした布素材であってもよいし、ソフトシリコーン樹脂素材であってもよい。
【００６９】
係止部２４０は、スリット形成または折曲げなどを利用して単数の部品から構成されていてもよいし、縫製などを利用して複数の部品から構成されていてもよい。
【００７０】
係止部２４０の袋口縁部５１１と接触する箇所には、係止力確保のための摩擦部材、スリット部材またはマグネット部材の貼付処理、汚れ付着防止のためのコーティング部材貼付処理、または表面加工処理が係止部２４０の素材に応じて行われてもよい。しかしながら、係止部２４０の臀部などと接触する箇所には、肌触りを考慮し、このような処理は行われなくてもよい。
【００７１】
係止部２４０は、取付け部材１３１のような取付け部材と、重なり部材１３２のような重なり部材と、を有してもよい。
【００７２】
係止部２４０は、下着本体２１０の臀部と接触する側の表面に設けられている。
【００７３】
袋口縁部５１１は、外側から開口部２２０へ挿入されて係止部２４０と係止する。
【００７４】
より具体的には、袋口縁部５１１は、折り返されて矢印Ｑ２ａおよびＱ２ｂで示された内向きで、または折り返されずに外向きで係止部２４０と係止させられる。
【００７５】
袋口縁部５１１が外側から開口部２２０へ挿入されて係止部２４０と係止させられるこのような態様においては、被介護者による開口部２２０への袋口５１０の装着がしばしば手軽である。
【００７６】
（実施の形態３）
はじめに、図７〜９を主として参照しながら、本実施の形態の下着３００について具体的に説明する。
【００７７】
ここに、図７は本発明における実施の形態３の下着３００の模式的な正面図であり、図８は本発明における実施の形態３の下着３００の模式的な背面図であり、図９は本発明における実施の形態３の下着３００の模式的な部分斜視図である。
【００７８】
図７においては、下着本体３１０の臀部と接触しない側の表面が見えるように、下着本体３１０が広げられた非着用状態が示されている。図８においては、下着本体３１０の臀部と接触する側の表面が見えるように、下着本体３１０が広げられた非着用状態が示されている。
【００７９】
図９においては、係止部３３０の構成が理解しやすいように、係止部３３０が手指６００により下着本体３１０から持上げられて広げられた状態が示されている。
【００８０】
下着本体３１０は、人の臀部を包む本体である。
【００８１】
たとえば、市販されているリバーシブル介護用ふんどしは、下着本体３１０として利用可能である。
【００８２】
着用部３５０は、下着本体３１０へ取付けられたベルト部であり、着用部材３５１および３５２を有する。着用部材３５１は、紐挿通段の変更により臀部のサイズに応じて紐の長さを調節するためのアジャスト具を有する。着用部材３５２は、紐を繋留するためのバックル具を有する。
【００８３】
ティッシュペーパーなどを収納するためのポケット部材が、下着本体３１０の腹部と接触するまたはしない側の表面に設けられていてもよい。大便処理袋５００の袋口５１０が開口部３２０へ装着されていないときに臀部を隠すための布カバー部材が、設けられていてもよい。
【００８４】
開口部３２０は、大便処理袋５００の袋口５１０が装着される、下着本体３１０に設けられた部分である。
【００８５】
開口部３２０への袋口５１０の装着は、被介護者の便意に応じて行われてもよいし、便意に関わらず常に行われていてもよい。
【００８６】
つぎに説明されるように、袋口縁部５１１は係止部３３０と係止する。
【００８７】
開口部３２０の形状は、角丸長方形形状であるが、角丸逆三角形形状であってもよいし、角丸三角形形状であってもよいし、楕円形状であってもよい。
【００８８】
係止部３３０は、袋口５１０の袋口縁部５１１が係止する、下着本体３１０に設けられた部分である。
【００８９】
係止部３３０は、開口部３２０の近傍に設けられている。
【００９０】
係止部３３０の形状は、開口部３２０の形状に応じた孔が設けられている、シート形状である。
【００９１】
係止部３３０の素材は、合成皮革素材であるが、しっかりした布素材であってもよいし、ソフトシリコーン樹脂素材であってもよい。
【００９２】
係止部３３０は、スリット形成または折曲げなどを利用して単数の部品から構成されていてもよいし、縫製などを利用して複数の部品から構成されていてもよい。
【００９３】
係止部３３０の袋口縁部５１１と接触する箇所には、係止力確保のための摩擦部材、スリット部材またはマグネット部材の貼付処理、汚れ付着防止のためのコーティング部材貼付処理、または表面加工処理が係止部３３０の素材に応じて行われてもよい。しかしながら、係止部３３０の臀部などと接触する箇所には、肌触りを考慮し、このような処理は行われなくてもよい。
【００９４】
係止部３３０は、下着本体３１０へ取付けられた取付け部材３３１と、取付け部材３３１と重なる重なり部材３３２と、を有する。
【００９５】
袋口縁部５１１は、取付け部材３３１と重なり部材３３２との間に挟込まれる、または下着本体３１０と取付け部材３３１との間に挟込まれることにより、係止部３３０と係止する。
【００９６】
係止部３３０は、下着本体３１０の臀部と接触しない側の表面に設けられている。
【００９７】
袋口縁部５１１は、開口部３２０へ挿入されずに外側から係止部３３０と係止する。
【００９８】
より具体的には、袋口縁部５１１は、矢印Ｐ３ａおよびＰ３ｂで示された内向きで係止部３３０と係止させられる。
【００９９】
袋口縁部５１１が開口部３２０へ挿入されずに外側から係止部３３０と係止させられるこのような態様においては、介護者による開口部３２０への袋口５１０の装着がしばしば手軽である。
【０１００】
以上で説明された本実施の形態の下着１００、２００および３００は、たとえば、高齢者のみならず、乳幼児および病人にも最適であり、ごみの削減により環境問題の解決にも貢献すると期待される。
【産業上の利用可能性】
【０１０１】
本発明における下着は、大便処理を簡素化することができ、たとえば、パンツなどのような下着に利用する目的に有用である。
【符号の説明】
【０１０２】
１００  下着
１１０  下着本体
１２０  開口部
１３０  係止部
１３１  取付け部材
１３２  重なり部材
１５０  着用部
１５１、１５２  着用部材
１６０  着用部
１６１、１６２  着用部材
Ｐ１ａ、Ｐ１ｂ  矢印
２００  下着
２１０  下着本体
２２０  開口部
２３０  係止部
２４０  係止部
２５０  着用部
２５１、２５２  着用部材
２６０  着用部
２６１、２６２  着用部材
Ｐ２ａ、Ｐ２ｂ  矢印
Ｑ２ａ、Ｑ２ｂ  矢印
３００  下着
３１０  下着本体
３２０  開口部
３３０  係止部
３３１  取付け部材
３３２  重なり部材
３５０  着用部
３５１、３５２  着用部材
Ｐ３ａ、Ｐ３ｂ  矢印
５００  大便処理袋
５１０  袋口
５１１  袋口縁部
６００  手指
【図１】
2020066819.tif 000003
【図２】
2020066819.tif 000004
【図３】
2020066819.tif 000005
【図４】
2020066819.tif 000006
【図５】
2020066819.tif 000007
【図６】
2020066819.tif 000008
【図７】
2020066819.tif 000009
【図８】
2020066819.tif 000010
【図９】
2020066819.tif 000011